(57)【特許請求の範囲】
【請求項１】
鋼板の周壁に防音材が施され扉が開閉可能に取り付けられた箱体の内部にエアバッグやシートベルトプリテンショナ等の起爆装置を持ったガス発生器を備えている自動車部品の被処理物を載置するための置き台を備え前記置き台に載置した被処理物を爆発させる遮音ボックスと、この遮音ボックスの上部に消音手段と排気口とを備えた消音排気塔を前記遮音ボックスと連通した構成を特徴とするガス発生器を備えた自動車部品の処理装置。
【発明の詳細な説明】
【０００１】
【発明の属する技術分野】
本発明は、エアバッグやシートベルトプリテンショナ等の起爆装置を持ったガス発生器を備えている自動車部品の処理装置に関するものである。
【０００２】
【従来の技術】
車両が衝突したときの乗員を保護するエアバッグやシートベルトプリテンショナは起爆装置を持ったガス発生器を備えている。すなわち、エアバッグでは車両の衝突時にガス発生器の起爆装置を電気的に着火爆発させてガス発生器より発生するガス圧によりエアバッグを膨脹させるインフレータを備えている。また、シートベルトプリテンショナはシートベルトを装着したとき残っているたるみを取りベルトによる拘束を早めるためにガス発生器の起爆装置を電気的に着火爆発させてガス発生器より発生するガス圧によりベルトに取り付けてあるロッドを引っ張るようにしている。
【０００３】
【発明が解決しようとする課題】
このようなガス発生器を備えた自動車部品は車両の衝突時に確実に起爆装置が作動してガス発生器により高圧ガスを発生させ、エアバッグではエアバッグを膨脹し、シートベルトプリテンショナではシートベルトを引き込んで乗員の保護をしなければならないため厳格な点検を行っており、少しでも規格等から外れた製品は不良品として廃棄処理されている。この廃棄処理ではガス発生器の起爆装置を爆発させているが、その爆発音は１１５ｄＢ以上であり、作業環境基準である８５ｄＢ以下と生活環境基準である７０ｄＢ以下を大幅に上回るため工場内では処理できず、大掛かりな処理設備を持っている爆破専門業者に委託して廃棄処分している。そのため、委託する処理費用が高額であり、爆破した後で金属部やプラスチック部を分別処理すれば再資源化を図ることができるが、爆破専門業者に委託したのではそれができない。
【０００４】
本発明の目的は、起爆装置を持ったガス発生器置を備えている自動車部品を工場内等において爆発音を防音及び消音し、かつ作業者の安全確保の上で処理を可能とした安価な処理装置を提供することである。
【０００５】
【課題を解決するための手段】
上記の目的を達成するため本発明は、請求項１に記載の通り、鋼板の周壁に防音材が施され扉が開閉可能に取り付けられた箱体の内部にエアバッグやシートベルトプリテンショナ等の起爆装置を持ったガス発生器を備えている自動車部品の被処理物を載置するための置き台を備え前記置き台に載置した被処理物を爆発させる遮音ボックスと、この遮音ボックスの上部に消音手段と排気口とを備えた消音排気塔を前記遮音ボックスと連通した構成を特徴とするものである。
【０００６】
【発明の実施の形態】
以下本発明の実施の形態を図面に基づいて説明する。図１において、１は４本柱よりなる枠状のフレームであり、下端の４隅に車輪２が取り付けられている移動可能なものである。前記フレーム１の上部には遮音ボックス３が設けられており、この遮音ボックス３の上部には前記遮音ボックス３と連通している消音排気塔４が一体的に設けられている。
【０００７】
前記遮音ボックス３は鋼板壁６の箱体であり、前面には扉５が開閉可能に取り付けられている。前記箱体周囲の鋼板壁６には防音材７が施されている。この遮音ボックス３内の底部にはエアバッグやシートベルトプリテンショナ等のガス発生器を備えた自動車部品の被処理物Ｗを載置するための置き台８が備えられ、また、上部には天板１９との間に空間の通路１０を有して遮蔽円盤９が取り付けられている。前記天板１９には通路穴２０が開設されており、これに後述する消音排気塔４内の第２次消音小径筒１２が設置されている。
【０００８】
前記置き台８には図示省略しているが、被処理物Ｗのガス発生器の着火部に接続されるコネクタが配置されており、このコネクタに遮音ボックス３の外部から手元操作スイッチ１７がコード１８を介して接続されている。
【０００９】
前記消音排気塔４は鋼板の円筒体１１よりなり、その下端は前記遮音ボックス３の天板１９上に固定されている。また、円筒体１１の上端は排気口１５が開口している。この円筒体１１内には前記した第２次消音小径筒１２が天板１９に開設されている通路穴２０と連通して天板１９に固定されており、前記第２次消音小径筒１２の外周に隙間を持たせ、邪魔板２１を挾んで第４次消音大径筒１３が天板１９に固定されている。これら第２次消音小径筒１２並びに第４次消音大径筒１３は多数の通気孔を形成したパンチングメタルが適当である。さらに、前記第４次消音大径筒１３のスカート部、すなわち、第４次消音大径筒１３と天板１９との結合部周辺の周囲には防音材１４が施されている。
【００１０】
前記遮音ボックス３の前面に開閉可能に取り付けられている扉５の外面には図２で示すように、複数個の確認ランプ１６が配設されている。この確認ランプ１６は、例えば、電源入り、扉閉じＯＫ、ロックＯＫ、運転準備及び起爆ＯＮ等を表示している。
【００１１】
上記本発明装置による処理動作をエアバッグを被処理物Ｗとして以下に説明する。先ず、電源コードを既設の１００Ｖ電源に接続し確認ランプ１６で電源入りを確認してから遮音ボックス３の扉５を開けて置き台８にエアバッグを載置し、ガス発生器の起爆装置にコネクタを接続して扉５を閉じてロックする。
【００１２】
前記扉５を閉じた後に確認ランプ１６で扉閉じＯＫ、ロックＯＫ、運転準備を確認して作業者は本装置から２ｍ以上離れて手元操作スイッチ１７によって起爆ボタンを押す。この手元操作スイッチ１７の起爆ボタンを押すと確認ランプ１６の起爆ＯＮが点灯し、遮音ボックス３内の置き台８に載置しているエアバッグの起爆装置が着火爆発してガス発生器より高圧ガスを発生し、この高圧ガスでエアバッグが瞬時に膨脹し、かつ収縮してエアバッグの展開を完了する。
【００１３】
前記ガス発生器の起爆装置が着火爆発したときに爆発音は、遮音ボックス３で第１次消音すると共に遮蔽円盤９によって遮蔽し、さらに、図１の矢印で示すように、遮蔽円盤９上の通路１０を通って通路穴２０から第２次消音小径筒１２に入り、第２次消音小径筒１２で減圧して第２次消音する。この第２次消音小径筒１２から邪魔板２１を通って下降し第４次消音大径筒１３に入る。この邪魔板２１を通って下降し第４次消音大径筒１３に入るときの部分、つまり、第４次消音大径筒１３のスカート部で防音材１４によって第３次消音し、第４次消音大径筒１３で減圧して第４次消音する。この第１〜４次消音作用によって爆破時の騒音は周囲３ｍ計測で６５ｄＢ〜８４ｄＢの環境基準値内に抑えられた。一方、遮音ボックス３内で発生したガスも爆発音と同様に流れて消音排気塔４の円筒体１１の上端より排出される。
【００１４】
前記エアバッグの展開後の取り扱いは次の通りである。扉５を開け、白い煙りが拡散してる最中は１〜２分放置し、煙りが拡散しなくなったことを確認してから、エアバッグをコネクタから外して遮音ボックス３内より取り出し、水気のない安全な場所に仮置きして３０分間放置して廃棄処理する。
【００１５】
この廃棄処理の際には、金属部とプラスチック部に分別し、各指定のパレットに保管して資源再生処理専門業者に引き渡す。
【００１６】
上記では被処理物Ｗをエアバッグとしたが、ガス発生器を備えているシートベルトプリテンショナも同様に処理することができる。また、本発明はエアバッグやシートベルトプリテンショナの自動車部品に限らず起爆装置を備えている他の部品の処理にも適用することができる。
【００１７】
また、図１のフレーム１は車輪２による可搬式であり、電源があれば工場内等の適当な場所に移動して処理することができる便利性があるが、車輪２を持たない定置式とすることも可能である。
【００１８】
【発明の効果】
以上のように本発明によると、処理時に大きな爆音を発生する起爆装置を備えた部品の被処理物を高額な処理費用がかかる爆破専門業者に委託することなく工場内等で爆破時の騒音を作業環境基準の８５ｄＢ以下に、また、生活環境基準の７０ｄＢ以下に抑制し、かつ作業者の危険を防止し安全な状態で処理することが可能となり、処理費用の低減を図ることができる。また、装置自体の構造が簡単であり、低コストで提供することができる。さらに、処理後に金属部やプラッチスチック部を分別して資源再生処理専門業者に引き渡すことができるので再資源化が図られる等の実益ある利点を有してる。
【図面の簡単な説明】
【図１】本発明装置の一部断面正面図
【図２】本発明装置の遮音ボックスの正面図
【符号の説明】
１      フレーム
２      車輪
３      遮音ボックス
４      消音排気塔
５      扉
６      鋼板壁
７      防音材
８      置き台
９      遮蔽円盤
１０      通路
１１      円筒体
１２      枢支
１２      第２次消音小径筒
１３      第４次消音大径筒
１４      防音材
１５      排気口
１６      確認ランプ
１７      手元操作スイッチ
１８      コード
１９      天板
２０      通路穴
２１      邪魔板
【図１】
0004086130.tif 000002
【図２】
0004086130.tif 000003